Podtech/llm-jp-corpus-v4-ja_patent huggingface dataset:
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
一般式Ｉを有することを特徴とする、化合物。
【化１】
2014515388.tif 000001
（式中、
０≦ｎ≦４、ｎは整数、ＹはＯＨ、Ｃｌ、Ｂｒ、Ｉ、ＮＯ３、ＢＦ４、Ｃ６Ｈ５Ｏ７、ＣＨ３ＣＯ２、ＣＦ３ＣＯ２または−ＯＣＨ3を表す。）
【請求項２】
ｎ＝４である、請求項１に記載の化合物。
【請求項３】
請求項１または２に係る式Ｉを有する化合物の製造方法であって、次の段階：
ａ）溶液中へ酸性型のスクロースオクタ硫酸エステルを入れ、マグネシウム塩と接触させることでマグネシウムのスクロースオクタ硫酸エステルを形成させること、
ｂ）このようにして形成されたマグネシウムのスクロースオクタ硫酸エステルを沈殿させること
を含むことを特徴とする、方法。
【請求項４】
溶液中において、前記酸性型のスクロースオクタ硫酸エステルを次の工程：
ａ１）スクロースオクタ硫酸エステルの塩を溶液中へ溶解すること、
ａ２）そのようにして得られたスクロースオクタ硫酸エステルの塩溶液を脱塩し、溶液中で酸性型のスクロースオクタ硫酸エステルを形成すること
により得る、請求項３に記載の方法。
【請求項５】
前記スクロースオクタ硫酸エステルの塩が、カリウムのスクロースオクタ硫酸エステルまたはナトリウムのスクロースオクタ硫酸エステルである、請求項４に記載の方法。
【請求項６】
前記スクロースオクタ硫酸エステルの塩溶液の脱塩が、前記溶液にイオン交換カラムを通過させることにより行われる、請求項４または５に記載の方法。
【請求項７】
前記マグネシウム塩が、Ｍｇ（ＯＨ）２、ＭｇＣｌ２、ＭｇＢｒ２、ＭｇＩｒ、Ｍｇ（ＮＯ３）２もしくはＭｇ（ＢＦ４）２からなる群より選択されるマグネシウムの無機塩またはＭｇ（ＣＨ３ＣＯ２）２、Ｍｇ（ＣＦ３ＣＯ２）２、Ｍｇ３（Ｃ６Ｈ５Ｏ７）２、Ｍｇ（ＣＨ３Ｏ）２からなる群より選択されるマグネシウムの有機塩である、請求項３〜６のいずれか一項に記載の方法。
【請求項８】
薬剤製造のための、請求項１または２に記載の化合物の使用。
【請求項９】
瘢痕化を促進させる薬剤製造のための、請求項８に記載の化合物の使用。
【請求項１０】
前記瘢痕化がやけどおよび急性または慢性の創傷によるものである、請求項９に記載の化合物の使用。
【請求項１１】
前記やけどおよび急性または慢性の創傷が、熱若しくは日焼けによるやけど、放射線皮膚炎、様々な原因による炎症、皮膚炎、擦り傷、引っ掻き傷、切り傷、例えば下肢もしくは胃潰瘍、褥瘡、糖尿病性創傷、口腔内潰瘍、様々な原因による口腔の創傷、瘢痕性座瘡、凍結療法の瘢痕、外科手術後または皮膚形成外科手術後瘢痕、水泡、口唇炎、湿疹、おむつかぶれ、または皮膚粗鬆症によるものである、請求項１０に記載の化合物の使用。
【請求項１２】
微生物感染の予防または治療用薬剤製造のための、請求項８に記載の化合物の使用。
【請求項１３】
化粧品組成物を製造するための、請求項１または２に記載の化合物の使用。
【請求項１４】
少なくとも１つの請求項１または２に記載の化合物および少なくとも１つの薬学上許容される賦形剤を含む、医薬品組成物。
【請求項１５】
少なくとも１つの他の有効成分を含む、請求項１４に記載の医薬品組成物。
【請求項１６】
少なくとも１つの請求項１または２に係る化合物および美容学上許容される賦形剤を含む化粧品組成物。
【請求項１７】
肌の状態を改善するための、請求項１５に記載の組成物の使用。
【手続補正書】
【提出日】平成27年4月17日(2015.4.17)
【手続補正１】
【補正対象書類名】特許請求の範囲
【補正対象項目名】全文
【補正方法】変更
【補正の内容】
【特許請求の範囲】
【請求項１】
一以上の精製された不活性化デング熱ウイルス；
緩衝剤；及び
ポロキサマー界面活性剤
を含む、不活性化デング熱ウイルスのバルク調製物又は免疫原組成物。
【請求項２】
アジュバントをさらに含む、請求項１に記載の免疫原組成物。
【請求項３】
アジュバントが、水酸化アルミニウム及びリン酸アルミニウムの少なくとも一つであるアルミニウム塩を含む、請求項２に記載の免疫原組成物。
【請求項４】
少なくとも一つの追加の免疫刺激成分をさらに含む請求項３に記載の免疫原組成物であって、該少なくとも一つの追加の免疫刺激成分が、油と水のエマルション、リポソーム、リポ多糖、サポニン、及びオリゴヌクレオチドの一以上を含む、上記免疫原組成物。
【請求項５】
アジュバントが、油と水のエマルション、リポソーム、リポ多糖、サポニン、及びオリゴヌクレオチドからなる群より選択される一以上の免疫刺激成分を含む、アルミニウムを含まないアジュバントである、請求項２に記載の免疫原組成物。
【請求項６】
アルミニウム塩に吸着された少なくとも一つの精製された不活性化デング熱ウイルス；
緩衝剤；及び
界面活性剤
を含む、不活性化デング熱ウイルスのバルク調製物又は免疫原組成物。
【請求項７】
油と水のエマルション、リポソーム、リポ多糖、サポニン、及びオリゴヌクレオチドの一以上を含む、少なくとも一つの追加の免疫刺激成分をさらに含む、請求項６に記載の免疫原組成物。
【請求項８】
一以上の免疫刺激成分が、3-脱アシル化モノホスホリルリピドA（3D-MPL）、QS21、少なくとも一つの非メチル化CpGを含むDNAオリゴヌクレオチド、及び／又はリポソームを含む、請求項４、５、及び７のいずれか１項に記載の免疫原組成物。
【請求項９】
界面活性剤が筋肉内、皮下、経皮、又は皮内投与に適している、請求項１〜８のいずれか１項に記載の不活性化デング熱ウイルスのバルク調製物又は免疫原組成物。
【請求項１０】
界面活性剤が、ポロキサマー、15-ヒドロキシステアリン酸マクロゴール、ポリソルベート、オクトキシノール、ポリドカノール、ステアリン酸ポリオキシル、ポリオキシルヒマシ油、N-オクチル-グルコシド、及びそれらの組み合わせからなる群より選択される、請求項６〜９のいずれか１項に記載の不活性化デング熱ウイルスのバルク調製物又は免疫原組成物。
【請求項１１】
ポロキサマー界面活性剤が、少なくとも4500kD及び／又は15000kD以下の分子量を有する、請求項１〜５および１０のいずれか１項に記載の不活性化デング熱ウイルスのバルク調製物又は免疫原組成物。
【請求項１２】
界面活性剤が、少なくとも0.001%（w/v）及び／又は1.0%（wt/v）以下の量で存在する、請求項１〜１１のいずれか１項に記載の不活性化デング熱ウイルスのバルク調製物又は免疫原組成物。
【請求項１３】
異なる血清型の複数の精製された不活性化デング熱ウイルスを含み、DEN-1、DEN-2、DEN-3、及びDEN-4に対する免疫応答をそれぞれ惹起する複数のウイルスを含む、請求項１〜１２のいずれか１項に記載の不活性化デング熱ウイルスのバルク調製物又は免疫原組成物。
【請求項１４】
少なくとも一つの精製された不活性化デング熱ウイルスが、弱毒化デング熱ウイルス、組み換えデング熱ウイルス、又は第一のデング熱ウイルス核酸及び第二のフラビウイルス核酸を含むキメラウイルスである、請求項１〜１３のいずれか１項に記載の不活性化デング熱ウイルスのバルク調製物又は免疫原組成物。
【請求項１５】
緩衝剤が、リン酸ナトリウム、リン酸カリウム、及びトリス（ヒドロキシメチル）アミノメタンの一以上を含む、請求項１〜１４のいずれか１項に記載の不活性化デング熱ウイルスのバルク調製物又は免疫原組成物。
【請求項１６】
緩衝剤が、液体組成物のpHをpH6.4以上に保つ、請求項１〜１５のいずれか１項に記載の不活性化デング熱ウイルスのバルク調製物又は免疫原組成物。
【請求項１７】
ガラス形成糖及びガラス形成ポリオールの少なくとも一つをさらに含む、請求項１〜１６のいずれか１項に記載の不活性化デング熱ウイルスのバルク調製物又は免疫原組成物であって、該ガラス形成糖又はポリオールがスクロース、トレハロース、マンノース、マンニトール、ラフィノース、ラクチトール、ソルビトール及びラクトビオン酸、グルコース、マルツロース、イソ-マルツロース、ラクツロース、マルトース、ラクトース、イソ-マルトース、マルチトール、パラチニット、スタキオース、メレジトース、デキストラン又はそれらの組み合わせからなる群より選択される、上記バルク調製物又は免疫原組成物。
【請求項１８】
ヒト被験者への投与のために製剤化されている、請求項１〜１７のいずれか１項に記載の免疫原組成物。
【請求項１９】
請求項１〜１８のいずれか１項に記載の不活性化デング熱ウイルスのバルク調製物又は免疫原組成物であって、一以上の精製された不活性化デング熱ウイルスが化学的不活性化剤、物理的不活性化、及び照射による不活性化の少なくとも一つによって不活性化され、ホルムアルデヒド、ベータプロピオラクトン（BPL）、過酸化水素、紫外線照射、及びガンマ線照射の少なくとも一つへの曝露によって不活性化されている、上記バルク調製物又は免疫原組成物。
【請求項２０】
少なくとも一つの精製された不活性化デング熱ウイルス；及び
ポロキサマー界面活性剤
を含む、不活性化デング熱ウイルスの凍結乾燥調製物。
【請求項２１】
緩衝剤及び界面活性剤を含む溶液を準備するステップ；及び
該溶液を一以上の精製された不活性化デング熱ウイルスと混合するステップ
を含む、不活性化デング熱ウイルスのバルク調製物又は免疫原組成物を製剤化する方法。
【手続補正書】
【提出日】平成27年5月20日(2015.5.20)
【手続補正１】
【補正対象書類名】特許請求の範囲
【補正対象項目名】全文
【補正方法】変更
【補正の内容】
【特許請求の範囲】
【請求項１】
有効量の活性成分と、式
ＲＦＲＨ
または
ＲＦＲＨＲＦ
に係る部分フッ素化アルカンと、を含む爪を侵す疾患または状態の予防または処置に使用される局所医薬組成物であって、
式中、ＲＦは、２０個以下の炭素原子を有する過フッ素化炭化水素セグメントであり、ＲＨは、３〜２０個の炭素原子を有する非フッ素化炭化水素セグメントであり、
爪に投与される、局所医薬組成物。
【請求項２】
部分フッ素化アルカンが、式
ＲＦＲＨ
で示される化合物であり、
式中、ＲＦは、４〜１２個の炭素原子を有する直鎖状過フッ素化セグメントであり、ＲＨは、４〜８個の炭素原子を有する直鎖状アルキル基である、請求項１に記載の組成物。
【請求項３】
部分フッ素化アルカンが、Ｆ４Ｈ５、Ｆ４Ｈ６、Ｆ４Ｈ８、Ｆ６Ｈ６およびＦ６Ｈ８から選択される、請求項２に記載の組成物。
【請求項４】
液体もしくは半固形溶液、ゲル、スプレー、エマルジョン、懸濁液、マイクロエマルジョン、ネイルラッカー、または貼付薬の形態である、請求項１〜３のいずれか１項に記載の組成物。
【請求項５】
エタノール、アセトン、酢酸エチル、イソプロピルアルコール、グリセロール、プロピレングリコール、ペンチレングリコール、ポリエチレングリコール、液状パラフィン、トリグリセリド油、ヒドロフルオロカーボン、例えばＨＦＡ  １３４ａおよび／またはＨＦＡ  ２２７、ならびに液体モノまたはジグリセリドから選択される、生理学的に許容し得る共溶媒を含む、請求項１〜４のいずれか１項に記載の組成物。
【請求項６】
前記爪を侵す疾患が爪乾癬である、請求項１〜５のいずれか１項に記載の組成物。
【請求項７】
活性成分が、タクロリムス、シロリムス、エベロリムス、ピメクロリムス、リダフォロリムス、テムシロリムス、ゾタロリウムス、およびシクロスポリンＡなどのマクロライド系免疫抑制剤から選択される、請求項６に記載の組成物。
【請求項８】
活性成分が、レチノール、レチナール、トレチノイン、イソトレチノイン、アリトレチノイン、エトレチナート、アシトレチン、タザロテン、ベキサロテンおよびアダパレンなどのレチノイドから選択される、請求項６に記載の組成物。
【請求項９】
活性成分が、カルシポトリオール、カルシトリオール、またはタカルシトールなどのビタミンＤ類似体から選択される、請求項６に記載の組成物。
【請求項１０】
前記爪を侵す疾患が爪真菌症である、請求項１〜５に記載の組成物。
【請求項１１】
活性成分が、クロトリマゾール、ケトコナゾール、またはミコナゾールなどのアゾール系；あるいはテルビナフィン、ナフチフィン、またはブテナフィンなどのアリルアミン系；あるいはシクロピロキソラミン、またはアモロルフィンなどの他の抗真菌薬から選択される、請求項１０に記載の組成物。
【請求項１２】
活性成分が、抗生物質、コルチコステロイド、非ステロイド系抗炎症薬、局所麻酔薬、または５−フルオロウラシルから選択される、請求項１〜５に記載の組成物。
【手続補正書】
【提出日】平成27年5月20日(2015.5.20)
【手続補正１】
【補正対象書類名】明細書
【補正対象項目名】００３３
【補正方法】変更
【補正の内容】
【００３３】
図２は、図１のノズルカバーの断面図であり、これにより、ノズルカバー１が、ノズル（図示せず）を受けるための近位端と、閉じている遠位端とを有する細長いチャンバを備えていることが分かるようになっている。シール７は、細長いチャンバ９の近位端１０の開口１２を塞いでおり、シール７の開口８は、細長いチャンバ９の内部空間１３への通路を提供している。したがって、図５に示すように、タップ１５１をシール７の開口８に挿入すると、シールの内縁部１４は、密封した接続を提供するタップ１５１の分注用ノズル１５３の外面１５２に接触するようになる。このことは、細長いチャンバ９の内部空間１３は、周囲の空間１５４から分離され、分注用ノズル１５３の開口１５５を保護しているということを意味している。
【手続補正２】
【補正対象書類名】明細書
【補正対象項目名】００４５
【補正方法】変更
【補正の内容】
【００４５】
１      分注用ノズルカバー
２      管状シース
３      外面
４      近位端
５      遠位端
６      開口
７      シール
８      開口
９      細長いチャンバ
１０    近位端
１１    遠位端
１２    開口
１３    内部空間
１４    内縁部
１５    空間
１６    外面
１７    内面
１８    第１の表面層
１９    第２の表面層
２０    粘着剤
３０    分注用ノズルカバー
３１    細長いチャンバ
３２    近位端
３３    遠位端
３４    シール
３５    外面
３６    粘着剤
３７    粘着性表面
４０    ノズルカバー
４１    細長いチャンバ
４２    近位受容端
４３    遠位端
４４    管状シース
４５    シール
４６    近位端
４７    空間
４８    開口
４９    粘着剤層
５０    分注用ノズルカバー
５１    管状シース
５２    近位端
５３    遠位端
５４    ダイヤフラムシール
５５    貫通孔
５６    貫通孔
５７    内部空間 
５８    底板
５９，６０，６１    粘着性表面層
１５１    タップ
１５２    外面
１５３    分注用ノズル
１５４    周囲の空間
１５５    ノズルの開口
【手続補正３】
【補正対象書類名】図面
【補正対象項目名】図５
【補正方法】変更
【補正の内容】
【図５】
2014515338.tif 000001
【手続補正書】
【提出日】平成27年5月11日(2015.5.11)
【手続補正１】
【補正対象書類名】特許請求の範囲
【補正対象項目名】全文
【補正方法】変更
【補正の内容】
【特許請求の範囲】
【請求項１】
２デッキ鉱物材料スクリーンモジュール（１０）であって、
前記スクリーンモジュールを鉱物材料処理装置（１００）の本体（５）に固定するための支持構造（４、５０１、５０５）と；
前記支持構造の上方に固定される上側篩分け手段（１１）と；
前記支持構造（４、５０１、５０１'、５０５）の下方に固定される下側縦方向支持体（１５、５０６、５０６'）と；
前記下側縦方向支持体の下方に固定される下側篩分け手段（１２）と；
前記スクリーンモジュールを前記鉱物材料処理装置（１００）の側体（５）に固定するための横梁（４）と；
前記横梁（４）の下方に固定される下側縦方向支持体（１５）と；
を備え、
前記下側篩分け手段（１２）は前記下側縦方向支持体（１５、５０６、５０６'）に対して下方から取り付けられ、該下側縦方向支持体（１５、５０６、５０６'）は、篩分けされるべき材料を前記下側篩分け手段上で前記スクリーンモジュールに対して縦方向に案内するために、前記下側篩分け手段と共に該下側篩分け手段上で前記材料のための貫通流路を形成し、
前記上側篩分け手段（１１）は前記横梁の上方に固定され、前記横梁は前記下側縦方向支持体の下方で前記下側篩分け手段（１２）を支持する、
スクリーンモジュール（１０）。
【請求項２】
前記スクリーンモジュール（１０）を前記鉱物材料処理装置（１００）の前記本体（５）に固定するための補助体（５'）を備え、前記横梁（４）が前記補助体に固定される、請求項１に記載のスクリーンモジュール。
【請求項３】
前記下側縦方向支持体（１５）の高さ（１５"）によって画定される下側支持領域（１５'）を備え、前記下側篩分け手段（１２）は、前記下側篩分け手段を前記横梁（４）に対して固定するために、その少なくとも２つの側部において前記本体（５）または前記補助体（５'）に固定可能である、請求項１または２に記載のスクリーンモジュール。
【請求項４】
前記複数の横梁（４）の上方に固定される複数の上側縦方向支持体（１３）であって、前記上側縦方向支持体を支持する前記複数の横梁を互いに固定する上側縦方向支持体（１３）と；
前記上側篩分け手段を前記上側縦方向支持体上に支持する上側支持領域（１３）であって、前記上側支持領域は前記上側縦方向支持体の高さによって画定され、前記上側篩分け手段は、前記上側篩分け手段を前記横梁に対して固定するために、その少なくとも２つの側部において前記本体（５）または前記補助体（５'）に固定可能である、上側支持領域（１３）と；
をさらに備える、請求項１乃至３の何れかに記載のスクリーンモジュール。
【請求項５】
前記篩分け手段（１１、１２）は、スクリーンメッシュ、スクリーン要素、または多孔スクリーン板を備えることを特徴とする、請求項１乃至４の何れかに記載のスクリーンモジュール。
【請求項６】
前記下側縦方向支持体（１５）の前記高さは、前記処理対象材料の前記貫通流路の貫通距離（１５"）を前記横梁（４）と前記下側篩分け板（１２）との間に画定することを特徴とする、請求項１乃至５の何れかに記載のスクリーンモジュール。
【請求項７】
交換可能な複数の磨耗板（１６）が前記下側縦方向支持体（１５）の表面に固定されることを特徴とする、請求項１乃至６の何れかに記載のスクリーンモジュール。
【請求項８】
本体（５）を備えた鉱物材料篩分け用の処理装置（１００）において、前記処理装置（１００）は、請求項１乃至７の何れかに記載のスクリーンモジュール（１０）を少なくとも１つ備えることを特徴とする、処理装置（１００）。
【請求項９】
前記スクリーンモジュール（１０）は前記本体（５）に固定され、前記１つ以上の篩分け手段は少なくともその２つの側部において、前記処理装置の前記本体（５）、または前記スクリーンモジュール（１０）に備えられた補助体（５'）、に固定されることを特徴とする、請求項８に記載の処理装置。
【請求項１０】
前記上側（１１）および／または前記下側（１２）篩分け手段はその側部に複数の把持箇所を備え、前記処理装置は、前記篩分け手段（１１、１２）を前記把持箇所を介して前記本体（５）または前記補助体（５'）に固定する固定手段（１４）を備えることを特徴とする、請求項８または９に記載の処理装置。
【請求項１１】
前記篩分け手段（１１、１２）の前記把持箇所は、前記固定手段（１４）を把持するフック状の形態を有することを特徴とする、請求項１０に記載の処理装置。
【請求項１２】
前記固定手段（１４）は、前記本体（５）または前記補助体（５'）への、または前記本体（５）または前記補助体（５'）からの、前記固定手段（１４）の移動を可能にする固定および開放動を可能にする固定部材（１７）を備え、該固定部材は、前記固定手段に張力が加えられていない状態において前記篩分け手段が前記固定手段によって支持されているように前記篩分け手段（１１、１２）を支持する、請求項１０または１１に記載の処理装置。
【請求項１３】
前記固定部材（１７）はストロークの長いねじを備えることを特徴とする、請求項１２に記載の処理装置。
【請求項１４】
２つのスクリーンモジュール（１０）が互いに上下に前記処理装置に配置されることを特徴とする、請求項８乃至１３の何れかに記載の処理装置。
【請求項１５】
少なくとも２つのスクリーンモジュール（１０）が連続して前記処理装置に配置されることを特徴とする、請求項８乃至１４の何れかに記載の処理装置。
【請求項１６】
前記連続するスクリーンモジュール（１０）のスクリーンデッキが互いに対して傾斜姿勢で配置されることを特徴とする、請求項１５に記載の処理装置。
【請求項１７】
請求項１乃至７の何れかに記載のスクリーンモジュール（１０）または請求項８乃至１６の何れかに記載の処理装置（１００）を備えた鉱物材料処理設備（４００）。
【請求項１８】
前記処理設備（４００）は固定設備、独立の可動設備、または道路上を輸送可能な設備であることを特徴とする、請求項１７に記載の処理設備（４００）。
【手続補正書】
【提出日】平成27年6月3日(2015.6.3)
【手続補正１】
【補正対象書類名】明細書
【補正対象項目名】００４５
【補正方法】変更
【補正の内容】
【００４５】
ゆえに、リーダー１０４は、一つのサイクルにおいて、点ｐ０から始動して点ｐ４、ｐ５、ｐ８、ｐ９、ｐ１０、ｐ１１、ｐ１２、最後に点ｐ１３に至る経路に沿って動き、溶接する。同時に、トレーラー１０６は、点ｐ１から始動して点ｐ２、ｐ３、ｐ４、ｐ６、ｐ７、ｐ１０、最後に点ｐ１１に至る経路に沿って動き、溶接する。ウィービングサイクルは、基準線Ａ−Ａ’に沿った点ｐ１から点ｐ１３までの溶接の長さＬである。矢印がトーチ１０２、つまりはワイヤ１０４、１０６の移動方向を示す、結果得られたビード１４０を図２ｂに示す。一つの実施態様では、結果得られる長さＬのビード１４０が１／４秒で生成されるように、ウィービング周波数を４Hzに設定する。一つの実施態様では、変位ｄ１またはｄ２が１／８インチに等しくなるように、ビード幅（ｄ１＋ｄ２）は１／４インチに等しい。
【手続補正２】
【補正対象書類名】明細書
【補正対象項目名】００４６
【補正方法】変更
【補正の内容】
【００４６】
図２ｂは、ベクトルａ０〜ａ７がワイヤ１０４、１０６、つまりはトーチ１０２の移動方向および移動速度を表す、図２ａの溶接ツール揺動パターンを使用した結果を図示する。
【手続補正書】
【提出日】平成27年4月1日(2015.4.1)
【手続補正１】
【補正対象書類名】明細書
【補正対象項目名】００４２
【補正方法】変更
【補正の内容】
【００４２】
本明細書中に引用される刊行物の完全な開示は、それぞれが個々に組み込まれたかのように、その全体が参照により組み込まれる。本発明の範囲及び趣旨から逸脱することなく、本発明の様々な改変及び変更が当業者には明らかとなるであろう。本発明は、本明細書に記載される例示的な実施形態及び実施例によって不当に限定されるものではない点、また、こうした実施例及び実施形態はあくまで例示を目的として示されるにすぎないのであって、本発明の範囲は本明細書において以下に記載する「特許請求の範囲」によってのみ限定されるものである点は理解すべきである。
以下に、本願発明に関連する発明の実施形態について列挙する。
［実施形態１］
不織布繊維性カバーウェブと、
前記カバーウェブに結合された織布スクリムと、
前記カバーウェブと前記織布スクリムとの間に配置された、複数の離間した弾性糸と、を含む、弾性複合物品。
［実施形態２］
前記弾性複合物品が、高分子結合剤により結合されて統合構造体になっている、実施形態１に記載の物品。
［実施形態３］
前記高分子結合剤が、前記カバーウェブ、前記織布スクリム、及び前記複数の離間した弾性糸に均一に含浸された、実施形態２に記載の物品。
［実施形態４］
前記織布スクリムが、機械方向に少なくとも４０デニールのフィラメント質量密度を有し、横ウェブ方向に少なくとも７０デニールのフィラメント質量密度を有する、実施形態１〜３のいずれか一項に記載の物品。
［実施形態５］
前記織布スクリムが、機械方向に少なくとも４０デニールのフィラメント質量密度を有し、横ウェブ方向に少なくとも１５０デニールのフィラメント質量密度を有する、実施形態４に記載の物品。
［実施形態６］
前記織布スクリムが、前記機械方向に１インチあたり２５以下の打ち込み本数を有し、前記横ウェブ方向に１５以下の打ち込み本数を有する、実施形態１〜５のいずれか一項に記載の物品。
［実施形態７］
前記織布スクリムが、前記機械方向に１インチあたり２０以下の打ち込み本数を有し、前記横ウェブ方向に１０以下の打ち込み本数を有する、実施形態６に記載の物品。
［実施形態８］
前記織布スクリムが、前記機械方向に第１の引張強度を、前記横ウェブ方向に第２の引張強度を含み、第１の引張強度の第２の引張強度に対する比が０．８以下である、実施形態１〜７のいずれか一項に記載の物品。
［実施形態９］
更に他の実施形態における第１の引張強度の第２の引張強度に対する比が、０．５以下である、実施形態８に記載の物品。
［実施形態１０］
前記不織布ウェブが、１５ｇｓｍ以下の総重量を有する、実施形態１〜９のいずれか一項に記載の物品。
［実施形態１１］
前記エラストマー高分子結合剤が、天然ゴムラテックス、合成ラテックス、及びそれらの組み合わせからなる群から選択される、実施形態１〜１０のいずれか一項に記載の物品。
［実施形態１２］
前記合成ラテックスが、アクリル、ブタジエン、スチレンゴム、ブタジエンゴム、クロロプレン、エチレンイソプレン、ニトリル及びウレタンのホモポリマー若しくはコポリマーラテックス、又はそれらの混合物を含む、実施形態１１に記載の物品。
［実施形態１３］
前記複数の弾性糸が、部分的に延びた糸を含む、実施形態１〜１２のいずれか一項に記載の物品。
［実施形態１４］
複数の弾性糸が、１インチあたり４〜１５の打ち込み本数を含む、実施形態１〜１３のいずれか一項に記載の物品。
［実施形態１５］
前記複数の弾性糸が、１００〜５５０デニールである、実施形態１〜１４のいずれか一項に記載の物品。
［実施形態１６］
前記物品が、自着性である、実施形態１〜１５のいずれか一項に記載の物品。
［実施形態１７］
前記物品が、包帯である、実施形態１〜１６のいずれか一項に記載の物品。
［実施形態１８］
前記物品が、圧縮ラップである、実施形態１〜１７のいずれか一項に記載の物品。
［実施形態１９］
前記物品が、衣類、毛髪、又は皮膚に接着しない、実施形態１〜１８のいずれか一項に記載の物品。
【手続補正２】
【補正対象書類名】特許請求の範囲
【補正対象項目名】全文
【補正方法】変更
【補正の内容】
【特許請求の範囲】
【請求項１】
不織布繊維性カバーウェブと、
前記カバーウェブに結合された織布スクリムと、
前記カバーウェブと前記織布スクリムとの間に配置された、複数の離間した弾性糸と、を含む、弾性複合物品。
【請求項２】
前記弾性複合物品が、高分子結合剤により結合されて統合構造体になっている、請求項１に記載の物品。
【請求項３】
前記高分子結合剤が、前記カバーウェブ、前記織布スクリム、及び前記複数の離間した弾性糸に均一に含浸された、請求項２に記載の物品。
【請求項４】
前記織布スクリムが、機械方向に少なくとも４０デニールのフィラメント質量密度を有し、横ウェブ方向に少なくとも７０デニールのフィラメント質量密度を有する、請求項１〜３のいずれか一項に記載の物品。
【請求項５】
前記織布スクリムが、前記機械方向に１インチあたり２５以下の打ち込み本数を有し、前記横ウェブ方向に１５以下の打ち込み本数を有する、請求項１〜４のいずれか一項に記載の物品。
【請求項６】
前記織布スクリムが、前記機械方向に第１の引張強度を、前記横ウェブ方向に第２の引張強度を含み、第１の引張強度の第２の引張強度に対する比が０．８以下である、請求項１〜５のいずれか一項に記載の物品。
【請求項７】
前記不織布ウェブが、１５ｇｓｍ以下の総重量を有する、請求項１〜６のいずれか一項に記載の物品。
【誤訳訂正書】
【提出日】平成27年6月9日(2015.6.9)
【誤訳訂正１】
【訂正対象書類名】明細書
【訂正対象項目名】００２２
【訂正方法】変更
【訂正の内容】
【００２２】
上記アルミナゾル（Aluminasol）は、アルミナ（Alumina）単一成分の針状構造を有するゾル（sol）で構成される。
【誤訳訂正２】
【訂正対象書類名】明細書
【訂正対象項目名】００６０
【訂正方法】変更
【訂正の内容】
【００６０】
上記のような優れた付着性を実現するにあたっては、Alumina単一成分の針状構造を有するゾル（sol）形態の上記Aluminasolの採用と、その適正な組成比や凹凸構造を有するなど、主に上記金属基板の表面特性に基づいた。
【手続補正書】
【提出日】平成27年5月14日(2015.5.14)
【手続補正１】
【補正対象書類名】特許請求の範囲
【補正対象項目名】全文
【補正方法】変更
【補正の内容】
【特許請求の範囲】
【請求項１】
式Iの化合物またはその薬学的に許容される塩：
2014515351.tif 000001
式中、
X1、X2、X3、X4、X5、X6、およびX7はそれぞれ独立に水素または重水素であり；
Y1、Y2、Y3、Y4、Y5、およびY6はそれぞれ独立にCH3またはCD3であり；
Y1、Y2、Y3、Y4、Y5、およびY6がいずれもCH3の場合、X1、X2、X3、X4、X5、X6、およびX7のうち少なくとも一つは重水素である。
【請求項２】
X1、X2、X3、およびX4が同一である、請求項1記載の化合物。
【請求項３】
X6およびX7が同一である、請求項2記載の化合物。
【請求項４】
Y1、Y2、およびY3が同一である、請求項2または3記載の化合物。
【請求項５】
Y4、Y5、およびY6が同一である、請求項2〜4のいずれか一項記載の化合物。
【請求項６】
X6およびX7が同一である、請求項2〜5のいずれか一項記載の化合物。
【請求項７】
X5が重水素である、前記請求項のいずれか一項記載の化合物。
【請求項８】
Y1、Y2、およびY3がCD3である、前記請求項のいずれか一項記載の化合物。
【請求項９】
Y4、Y5、およびY6がCD3である、前記請求項のいずれか一項記載の化合物。
【請求項１０】
上記の任意の態様において重水素と指定されていない原子がいずれも、その天然同位体存在度で存在する、前記請求項のいずれか一項記載の化合物。
【請求項１１】
式Iの化合物が、下記の表
2014515351.tif 000002
に記載の化合物のいずれか一つまたはその薬学的に許容される塩であり、重水素と指定されていない原子がいずれも、その天然同位体存在度で存在する、請求項1記載の化合物。
【請求項１２】
式Iの化合物が、下記の表
2014515351.tif 000003
に記載の化合物のいずれか一つまたはその薬学的に許容される塩であり、重水素と指定されていない原子がいずれも、その天然同位体存在度で存在する、請求項1記載の化合物。
【請求項１３】
前記請求項のいずれか一項記載の化合物またはその薬学的に許容される塩、および薬学的に許容される担体を含む、薬学的組成物。
【請求項１４】
請求項1〜12のいずれか一項記載の化合物を含む、対象における嚢胞性線維症を治療するための薬学的組成物。
【請求項１５】
請求項1〜12のいずれか一項記載の化合物を含む、対象における慢性閉塞性肺疾患（COPD）を治療するための薬学的組成物。
【手続補正２】
【補正対象書類名】明細書
【補正対象項目名】００１２
【補正方法】変更
【補正の内容】
【００１２】
VX-770は有益な活性を有するが、上記の疾患および状態を治療するための新規化合物が引き続き必要とされている。
[本発明1001]
式Iの化合物またはその薬学的に許容される塩：
2014515351.tif 000004
式中、
X1、X2、X3、X4、X5、X6、およびX7はそれぞれ独立に水素または重水素であり；
Y1、Y2、Y3、Y4、Y5、およびY6はそれぞれ独立にCH3またはCD3であり；
Y1、Y2、Y3、Y4、Y5、およびY6がいずれもCH3の場合、X1、X2、X3、X4、X5、X6、およびX7のうち少なくとも一つは重水素である。
[本発明1002]
X1、X2、X3、およびX4が同一である、本発明1001の化合物。
[本発明1003]
X6およびX7が同一である、本発明1002の化合物。
[本発明1004]
Y1、Y2、およびY3が同一である、本発明1002または1003の化合物。
[本発明1005]
Y4、Y5、およびY6が同一である、本発明1002〜1004のいずれかの化合物。
[本発明1006]
X6およびX7が同一である、本発明1002〜1005のいずれかの化合物。
[本発明1007]
X5が重水素である、前記本発明のいずれかの化合物。
[本発明1008]
Y1、Y2、およびY3がCD3である、前記本発明のいずれかの化合物。
[本発明1009]
Y4、Y5、およびY6がCD3である、前記本発明のいずれかの化合物。
[本発明1010]
上記の任意の態様において重水素と指定されていない原子がいずれも、その天然同位体存在度で存在する、前記本発明のいずれかの化合物。
[本発明1011]
式Iの化合物が、下記の表
2014515351.tif 000005
に記載の化合物のいずれか一つまたはその薬学的に許容される塩であり、重水素と指定されていない原子がいずれも、その天然同位体存在度で存在する、本発明1001の化合物。
[本発明1012]
式Iの化合物が、下記の表
2014515351.tif 000006
に記載の化合物のいずれか一つまたはその薬学的に許容される塩であり、重水素と指定されていない原子がいずれも、その天然同位体存在度で存在する、本発明1001の化合物。
[本発明1013]
前記本発明のいずれかの化合物またはその薬学的に許容される塩、および薬学的に許容される担体を含む、薬学的組成物。
[本発明1014]
本発明1013の薬学的組成物または本発明1001〜1012のいずれかの化合物を対象に投与する工程を含む、対象における嚢胞性線維症を治療する方法。
【手続補正書】
【提出日】平成26年12月17日(2014.12.17)
【手続補正１】
【補正対象書類名】特許請求の範囲
【補正対象項目名】全文
【補正方法】変更
【補正の内容】
【特許請求の範囲】
【請求項１】
回転弁デバイスであって、該デバイスは、
入口および複数のテーパ状出口と、
該入口と該複数の出口との間に配置された湾曲弓状排出シュートと、
該複数のテーパ状出口の上の漏斗溝であって、該漏斗溝は、材料が該排出シュートから外へ、該複数のテーパ状出口のうちの１つ以上の出口の中に流れるように指向するように構成されている、漏斗溝と、
該排出シュートおよびギヤボックスに連結された主要シャフトであって、該主要シャフトは、該シャフトの上部に接近して位置する軸受と、該シャフトの底部に接近して位置する該ギヤボックスとを通って延在する、主要シャフトと
を備える、デバイス。
【請求項２】
前記複数の出口は、相互から等距離にある、請求項１に記載のデバイス。
【請求項３】
前記入口は、テーパ状内部構造を有する、請求項１に記載のデバイス。
【請求項４】
前記排出シュートの上部部分は、テーパ状である、請求項１に記載のデバイス。
【請求項５】
ガスケットリングをさらに備え、該ガスケットリングは、前記排出シュートの上部部分を包囲する、請求項１に記載のデバイス。
【請求項６】
前記ギヤボックスは、ギヤ減速ユニットを備え、該ギヤ減速ユニットは、前記主要シャフトを回転させるように適合され、該主要シャフトは、続いて、前記排出シュートを回転させる、請求項１に記載のデバイス。
【請求項７】
前記ギヤボックスは、実質的に封入されている、請求項６に記載のデバイス。
【請求項８】
前記主要シャフトと前記ギヤボックスとは、該主要シャフトと該ギヤボックスとを連結する追加の連結の必要がないように、対応して楔着される、請求項６に記載のデバイス。
【請求項９】
電気モータをさらに備え、該電気モータは、前記ギヤボックスに給電するように構成されている、請求項６に記載のデバイス。
【請求項１０】
前記電気モータは、前記ギヤボックスに直角に連結されている、請求項９に記載のデバイス。
【請求項１１】
前記主要シャフトに連結されたエンコーダをさらに備え、該エンコーダは、前記排出シュートの任意の所与の位置において該排出シュートの位置を示すように構成されている、請求項１に記載のデバイス。
【請求項１２】
前記エンコーダは、回転についての１度未満の精度を伴って、前記排出シュートの任意の所与の位置において、精密な位置フィードバックを提供する、請求項１１に記載のデバイス。
【請求項１３】
前記排出シュートは、垂直に対して１０°〜８０°の角度である、請求項１に記載のデバイス。
【請求項１４】
前記排出シュートは、垂直に対して約２２．５°の角度である、請求項１３に記載のデバイス。
【請求項１５】
前記排出シュートは、垂直に対して約４５°の角度である、請求項１３に記載のデバイス。
【請求項１６】
前記連続回転弁デバイスの１つの内部構成要素の少なくとも一部は、腐食保護、摩耗および摩滅抵抗、表面力、低摩擦、非伝導性、伝導性コーティング、またはそれらの組み合わせを用いて表面処理される、請求項１に記載のデバイス。
【請求項１７】
清掃、脱脂、エッチング、プライマーコーティング、粗面化、グリッツブラスト、サンドブラスト、ピーニング、ピクリング、酸洗浄、塩基洗浄、窒化、窒炭化、電気めっき、無電解めっき、高速印加を含むフレーム溶射、熱溶射、プラズマ溶射、焼結、浸漬コーティング、粒子コーティング、真空蒸着、化学蒸着、物理蒸着、スパッタリング技法、スプレーコーティング、ロールコーティング、ロッドコーティング、押出成形、回転成形、スラッシュ成形、ならびに熱、放射、および／または光開始硬化技法、窒化、窒炭化、リン酸塩処理、またはそれらの組み合わせを利用した反応性コーティングによる、少なくとも１つの構成要素層を表面処理することをさらに含む、請求項１６に記載のデバイス。
【請求項１８】
前記表面処理は、金属、無機塩類、無機酸化物、無機炭化物、無機窒化物、無機浸炭窒化物、腐食抑制剤、犠牲電極、プライマー、導体、光リフレクタ、顔料、保護剤、放射調整剤、トップコート、接着剤、ならびにウレタンおよびフルオロウレタン、ポリオレフィンおよび置換ポリオレフィン、ポリエステル、ポリアミド、フルオロポリマー、ポリカーボネート、ポリアセタール、ポリスルフィド、ポリスルフォン、ポリアミドイミド、ポリエーテル、ポリエーテルケトン、シリコーン、またはそれらの組み合わせを含む、ポリマーのうちの少なくとも１つである、請求項１６に記載のデバイス。
【請求項１９】
入口パイプアセンブリをさらに備え、該入口パイプアセンブリは、前記排出シュートを受容し、該排出シュートとともに回転し、該排出シュートの周囲に配置され、該排出シュートおよび前記主要シャフトに連結されている、請求項１に記載のデバイス。
【請求項２０】
前記湾曲弓状排出シュートは、１つの方向の変化のみを有する、請求項１に記載のデバイス。
【請求項２１】
前記入口と前記複数のテーパ状出口との間の蓋であって、該蓋は、１つ以上のドアを備え、該１つ以上のドアは、前記回転弁デバイスの内部へのアクセスを可能にする、蓋と、
前記軸受へのアクセスを可能にする１つ以上の取外し可能ガードと
をさらに備える、請求項１に記載のデバイス。
【請求項２２】
前記複数のテーパ状出口のうちの１つ以上の出口は、装填システム内に送給する、請求項１に記載のデバイス。
【請求項２３】
前記複数のテーパ状出口のうちの１つ以上の出口は、調整システム内に送給する、請求項１に記載のデバイス。
【手続補正書】
【提出日】平成27年4月30日(2015.4.30)
【手続補正１】
【補正対象書類名】特許請求の範囲
【補正対象項目名】全文
【補正方法】変更
【補正の内容】
【特許請求の範囲】
【請求項１】
式(I):
【化１】
2014515377.tif 000001
（式中、
R1、R2、R3、R4、R5、R6、R7、R8、R9、およびR10は、独立して、水素または重水素から選択されるが;ただし、少なくとも1つは水素以外である）
の化合物またはその医薬的に許容される塩。
【請求項２】
各R1が重水素である、請求項１に記載の化合物。
【請求項３】
各R2が重水素である、請求項２に記載の化合物。
【請求項４】
各R3が重水素である、請求項３に記載の化合物。
【請求項５】
各R4が重水素である、請求項１に記載の化合物。
【請求項６】
R5が重水素である、請求項１に記載の化合物。
【請求項７】
各R6が重水素である、請求項１に記載の化合物。
【請求項８】
各R7が重水素である、請求項７に記載の化合物。
【請求項９】
各R8が重水素である、請求項１に記載の化合物。
【請求項１０】
各R9が重水素である、請求項９に記載の化合物。
【請求項１１】
各R10が重水素である、請求項１０に記載の化合物。
【請求項１２】
式:
【化２】
2014515377.tif 000002
から選択される化合物またはその医薬的に許容される塩。
【請求項１３】
式:
【化３】
2014515377.tif 000003
【化４】
2014515377.tif 000004
から選択される化合物またはその医薬的に許容される塩。
【請求項１４】
請求項１に記載の化合物もしくはその医薬的に許容される塩、および医薬的に許容される担体を含有する組成物。
【請求項１５】
抗HCV活性を有する少なくとも1つのさらなる化合物をさらに含有する、請求項１４に記載の組成物。
【請求項１６】
該さらなる化合物のうちの少なくとも1つがインターフェロンまたはリバビリンである、請求項１５に記載の組成物。
【請求項１７】
該インターフェロンが、インターフェロンα2B、ペグインターフェロンα、コンセンサスインターフェロン、インターフェロンα2A、またはリンパ芽球様インターフェロンタウから選択される請求項１６に記載の組成物。
【請求項１８】
該さらなる化合物のうちの少なくとも1つが、インターロイキン2、インターロイキン6、インターロイキン12、1型ヘルパーT細胞応答の発生を増強する化合物、干渉RNA、アンチセンスRNA、イミキモド、リバビリン、イノシン5'-一リン酸脱水素酵素阻害剤、アマンタジン、またはリマンタジンから選択される、請求項１５に記載の組成物。
【請求項１９】
該さらなる化合物のうちの少なくとも1つが、HCV感染症の処置のために、HCVメタロプロテアーゼ、HCVセリンプロテアーゼ、HCVポリメラーゼ、HCVヘリカーゼ、HCV NS4Bタンパク質、HCVエントリー、HCVアセンブリ、HCVイグレス、HCV NS5Aタンパク質、またはIMPDHから選択される標的の機能を阻害するのに有効である、請求項１５に記載の組成物。
【請求項２０】
治療上有効な量の請求項１に記載の化合物またはその医薬的に許容される塩を含有する、HCV感染症の治療剤。
【請求項２１】
請求項１に記載の化合物またはその医薬的に許容される塩より前、後、または同時に、抗HCV活性を有する少なくとも1つのさらなる化合物を投与することを特徴とする、請求項２０に記載の治療剤。
【請求項２２】
該さらなる化合物のうちの少なくとも1つがインターフェロンまたはリバビリンである、請求項２１に記載の治療剤。
【請求項２３】
該インターフェロンがインターフェロンα2B、ペグインターフェロンα、コンセンサスインターフェロン、インターフェロンα2A、またはリンパ芽球様インターフェロンタウから選択される、請求項２２に記載の治療剤。
【請求項２４】
該さらなる化合物のうちの少なくとも1つがインターロイキン2、インターロイキン6、インターロイキン12、1型ヘルパーT細胞応答の発生を増強する化合物、干渉RNA、アンチセンスRNA、イミキモド、リバビリン、イノシン5'-一リン酸脱水素酵素阻害剤、アマンタジン、またはリマンタジンから選択される、請求項２１に記載の治療剤。
【請求項２５】
該さらなる化合物のうちの少なくとも1つが、HCV感染症の処置のために、HCVメタロプロテアーゼ、HCVセリンプロテアーゼ、HCVポリメラーゼ、HCVヘリカーゼ、HCV NS4Bタンパク質、HCVエントリー、HCVアセンブリ、HCVイグレス、HCV NS5Aタンパク質、またはIMPDHから選択される標的の機能を阻害するのに有効である、請求項２１に記載の治療剤。
【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
構造
【化１】
2014515372.tif 000001
を、結晶形態２で有する、シクロスポリンＡ。
【請求項２】
約（２θ）：７．５、８．８、１０．２、１１．３、１２．７、１３．８、１４．５、１５．６、および１７．５の主ピークを有する、Ｘ線粉末回折パターンを有するシクロスポリンＡの結晶形態。
【請求項３】
実質的に図２に示されるＸ線回折パターンを有する、シクロスポリンＡの結晶形態。
【請求項４】
その変調示差走査熱量測定プロファイルにおいて、約６５℃〜１１０℃での温度範囲での脱水吸熱と、１２２〜１２５℃での相転移と、を有する、請求項１に記載の結晶形態。
【請求項５】
図４に示されるＭＤＳＣプロファイルを有する、請求項１に記載の結晶形態。
【請求項６】
治療上有効量の結晶形態２のシクロスポリンＡを、眼科的に許容される担体中に含む、医薬組成物。
【請求項７】
前記眼科的に許容される担体が、眼科的に許容される希釈剤、緩衝液、塩酸、水酸化ナトリウム、防腐剤、安定剤、等張化剤、粘度増強剤、キレート剤、界面活性剤および／または可溶化剤、ならびにそれらの組み合わせからなる群から選択される、請求項６に記載の組成物。
【請求項８】
結晶形態２のシクロスポリンＡを含む、眼における水欠乏性ドライアイ状態、ブドウ膜炎、水晶体アナフィラキシー性眼内炎または乾性角結膜炎（ＫＣＳ）の治療用医薬。
【請求項９】
他の結晶形態を実質的に含まない、請求項１に記載の結晶形態。
【請求項１０】
シクロスポリンＡの不定比の（ｎｏｎｓｔｏｉｃｈｅｍｅｔｉｃ）水和物である、請求項１に記載の結晶形態。
【請求項１１】
式
【化２】
2014515372.tif 000002
によって表され、式中、Ｘは、水の分子の数であり、０〜３で変動する、請求項１０に記載の結晶形態。
【請求項１２】
式中、Ｘは、２である、請求項１０に記載の結晶形態。
【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
均一に混合された添加剤促進性石膏スラリーをウェブに供給する方法であって、
混合器の混合チャンバーの中へ、前記混合チャンバーの少なくとも１つの注入口を介して、焼石膏および水を挿入することと、
前記混合チャンバーの内容物を撹拌して焼石膏からなる水性分散物を含むスラリーを形成することと、
前記スラリーを、前記混合器の排出口から、導管を含むスラリー分配装置の中へ通過させることと、
前記スラリー分配装置中の前記導管の長さに沿ったポイントで、前記スラリーの中へ、添加剤を導入して、前記導管を介するスラリー／添加剤の混合物のフローストリームを達成することと、
前記フローストリームが前記導管の排出口から出る前に、前記フローストリームの横断面を変化させずに前記フローストリームの方向を変化させ、その後、前記フローストリームの横断面及び前記フローストリームの方向を変化させずに前記フローストリームを前記導管の直線区間内で移動させ、その後、前記フローストリームの横断面を変化させずに前記フローストリームの方向を変化させ、その後、前記フローストリームの方向を変化させずに前記導管内の前記フローストリームの横断面を拡張することと、
を含む、方法。
【請求項２】
前記添加剤を導入するポイントから前記導管の排出口までの前記スラリー分配装置中で前記スラリーの概して滑らかなフローを維持することをさらに含む、請求項１に記載の方法。
【請求項３】
前記フローストリームの方向を変化させることは、３０−９０度の範囲の方向変化を含む、請求項１に記載の方法。
【請求項４】
前記方向変化は約９０度を含む、請求項３に記載の方法。
【請求項５】
前記添加剤は空気を含有する泡を含む、請求項１に記載の方法。
【請求項６】
石膏スラリーを収容するための混合器に連結するために構成された装置であって、
前記スラリーを受け入れるよう前記混合器の排出口と連通する主要注入口を有し、前記スラリーを放出するための吐出口に向けて下流の方向に延在する、前記スラリーのフローストリームのためのフロー経路を提供する導管と、
前記主要注入口と前記吐出口との間で前記フローストリームの方向転換を引き起こしつつ、前記フローストリームの横断面を拡張させない、前記導管中の少なくとも２つの屈曲と、
前記フローストリームの横断面を拡張させない、前記少なくとも２つの屈曲の間に延存する前記導管の直線部と、
前記少なくとも２つの屈曲のうち下流にあるものと前記吐出口との間で前記フローストリームの横断面の拡張を引き起こしつつ、前記フローストリームの方向を変化させない、前記導管中の少なくとも１つの拡張部と
を含む、装置。
【請求項７】
前記導管は、主要注入口と放出吐出口との間に、少なくとも１つの添加剤の収容のための少なくとも１つの注入口を有し、且つ、前記吐出口からの前記スラリーの分配前に前記少なくとも１つの添加剤と前記スラリーとの一様な混合を得るために十分な長さである、請求項６に記載の装置。
【請求項８】
前記屈曲のそれぞれが３０〜９０度の範囲内である、請求項６に記載の装置。
【請求項９】
前記屈曲のそれぞれが約９０度である、請求項８に記載の装置。
【請求項１０】
均一に混合された添加剤促進性石膏スラリーをウェブに供給する方法であって、
混合器の混合チャンバーの中へ、前記混合チャンバーの少なくとも１つの注入口を介して、焼石膏および水を挿入することと、
前記混合チャンバーの内容物を撹拌して焼石膏からなる水性分散物を含むスラリーを形成することと、
前記スラリーを、前記混合器の排出口から、導管を含むスラリー分配装置の中へ通過させることと、
前記スラリー分配装置中の前記導管の長さに沿ったポイントで、前記スラリーの中へ、添加剤を導入して、前記導管を介するスラリー／添加剤の混合物のフローストリームを達成することと、
前記フローストリームが前記導管の排出口から出る前に、前記フローストリームの横断面を変化させずに前記フローストリームの方向を変化させ、その後、前記フローストリームの横断面及び前記フローストリームの方向を変化させずに前記フローストリームを前記導管の直線区間内で移動させ、その後、前記フローストリームの方向を変化させずに前記導管内の前記フローストリームの横断面を拡張し、その後、前記フローストリームの横断面を変化させずに前記フローストリームの方向を変化させることと、
を含む、方法。
【請求項１１】
前記フローストリームの方向を変化させることは、３０−９０度の範囲の方向変化を含む、請求項１０に記載の方法。
【請求項１２】
前記方向変化は約９０度を含む、請求項１１に記載の方法。
【請求項１３】
石膏スラリーを収容するための混合器に連結するために構成された装置であって、
前記スラリーを受け入れるよう前記混合器の排出口と連通する主要注入口を有し、前記スラリーを放出するための吐出口に向けて下流の方向に延在する、前記スラリーのフローストリームのためのフロー経路を提供する導管と、
前記主要注入口と前記吐出口との間で前記フローストリームの方向転換を引き起こしつつ、前記フローストリームの横断面を拡張させない、前記導管中の第１の屈曲と、
前記フローストリームの横断面を拡張させない、前記第１の屈曲と前記吐出口との間に延存する前記導管の直線部と、
前記直線部と前記吐出口との間で前記フローストリームの横断面の拡張を引き起こしつつ、前記フローストリームの方向を変化させない、前記導管中の少なくとも１つの拡張部と、
前記拡張部と前記吐出口との間で前記フローストリームの方向転換を引き起こしつつ、前記フローストリームの横断面を拡張させない、前記導管内の第２の屈曲と
を含む、装置。
【請求項１４】
前記導管は、主要注入口と放出吐出口との間に、少なくとも１つの添加剤の収容のための少なくとも１つの注入口を有し、且つ、前記吐出口からの前記スラリーの分配前に前記少なくとも１つの添加剤と前記スラリーとの一様な混合を得るために十分な長さである、請求項１３に記載の装置。
【請求項１５】
前記屈曲のそれぞれが３０〜９０度の範囲内である、請求項１３に記載の装置。
【請求項１６】
前記屈曲のそれぞれが約９０度である、請求項１５に記載の装置。